(57)【要約】【課題】係止解除操作を容易に行うことができる筐体を提供する。【解決手段】電気接続箱１を構成する筐体２は、電気部品が搭載される箱本体２１と該箱本体２１の底面２２から突出しかつパネル３の取付孔３０内に挿入される突部２３と、該突部２３をパネル３に固定する係止部２４と、を備えている。係止部２４は、突部２３の外壁にスリットが形成されて設けられたアーム部２６と、該アーム部２６の外側面から突出形成されかつ取付孔３０の内縁部３１に係止する係止突起２７と、係止突起２７の裏側に設けられた引掛け部２８とを備えている。筐体２をパネル３から取り外す際は、筐体２の内側から挿入した取り外し治具５を引掛け部２８の凹部２８ａ内に挿入して、該取り外し治具５を倒すことにより、容易に係止突起２７の取付孔３０の内縁部３１への係止を解除することができる。【選択図】図４
2007053208.tif 000002
【特許請求の範囲】
【請求項１】
箱本体と、該箱本体の表面から突出しかつ他の部材に設けられた被係止部に係止する弾性変形可能な係止部と、を備えた筐体であって、
前記係止部が、
前記箱本体の表面から突出したアーム部と、
前記アーム部の一方の側面に設けられかつ前記被係止部に係止する係合部と、
前記アーム部の他方の側面に設けられ、かつ、取り外し治具を引掛けて、前記係合部の前記被係止部への係止を解除する方向に前記アーム部を撓ませることで、前記係合部の前記被係止部への係止を解除する引掛け部と、を備えるとともに、
前記取り外し治具を前記箱本体の外部から前記引掛け部に挿入可能とする挿入経路が形成されたことを特徴とする筐体。
【請求項２】
前記箱本体の表面から突出した突部を更に備え、
前記係止部が、前記突部の外壁に設けられるとともに前記アーム部が前記突部の外壁の一部をなしていることを特徴とする請求項１に記載の筐体。
【請求項３】
前記アーム部と前記突部の外壁の他の部分との間にスリットが設けられたことを特徴とする請求項２に記載の筐体。
【発明の詳細な説明】
【技術分野】
【０００１】
本発明は、例えば自動車のパネルなどに取り付けられる筐体の係止構造に関する。
【背景技術】
【０００２】
従来より、例えば自動車のエンジンルームのパネルに電気接続箱などを取り付ける係止構造が知られている（例えば、特許文献１を参照。）。
【０００３】
図５は、従来の電気接続箱１０１の自動車のパネル１０３への係止構造を示す。電気接続箱１０１は、外郭を形成する筐体１０２と、図示しない配線盤とを備えている。筐体１０２には、リレー、ヒューズやヒュージブルリンクなどの電気部品が装着される装着部と、ワイヤハーネスの端末に設けられたコネクタを取り付けるコネクタ取付部が設けられている。配線盤は、筐体１０２の内部に収容されて、前述した電気部品とワイヤハーネスのコネクタとを予め定められたパターンにしたがって接続する。
【０００４】
上記筐体１０２は、箱本体１２１と、該箱本体１２１の底面１２２から突出した突部１２３と、を備えている。箱本体１２１には、底面１２２から突出したリップ１２９が形成されている。また、突部１２３には、該突部１２３の外壁から突出した係止突起１２７が形成されている。
【０００５】
この電気接続箱１０１は、パネル１０３の取付孔１３１と相対されて突部１２３が弾性変形しながら該取付孔１３１内に挿入されると、前述したリップ１２９と係止突起１２７との間にパネル１０３を挟むとともに、係止突起１２７が取付孔１３１の内縁部に係止する。こうして電気接続箱１０１の筐体１０２がパネル１０３に固定される。
【特許文献１】特開２００２−１０４４２号公報
【発明の開示】
【発明が解決しようとする課題】
【０００６】
しかしながら、図５に示した係止構造では、係止突起１２７と取付孔１３１との係止箇所が筐体１０２によって覆われており、パネル１０３の図５中上に位置する手前側からは、係止突起１２７と取付孔１３１との係止を解除することができない。また、パネル１０３の図５中下に位置する反対側は、作業者の手または治具が届き難いため、一旦係止突起１２７と取付孔１３１とを係止させると係止解除が困難であるという問題があった。
【０００７】
従って、本発明は、筐体に設けられた係止部と他の部材に設けられた被係止部との係止箇所が筐体の外部から操作することが規制されている場合であっても、係止解除を容易に行うことができる筐体を提供することをその目的とする。
【課題を解決するための手段】
【０００８】
前記課題を解決し目的を達成するために、請求項１に記載の筐体は、箱本体と、該箱本体の表面から突出しかつ他の部材に設けられた被係止部に係止する弾性変形可能な係止部と、を備えた筐体であって、前記係止部が、前記箱本体の表面から突出したアーム部と、前記アーム部の一方の側面に設けられかつ前記被係止部に係止する係合部と、前記アーム部の他方の側面に設けられ、かつ、取り外し治具を引掛けて、前記係合部の前記被係止部への係止を解除する方向に前記アーム部を撓ませることで、前記係合部の前記被係止部への係止を解除する引掛け部と、を備えるとともに、前記取り外し治具を前記箱本体の外部から前記引掛け部に挿入可能とする挿入経路が形成されたことを特徴としている。
【０００９】
請求項２に記載の筐体は、請求項１に記載の筐体において、前記箱本体の表面から突出した突部を更に備え、前記係止部が、前記突部の外壁に設けられるとともに前記アーム部が前記突部の外壁の一部をなしていることを特徴としている。
【００１０】
請求項３に記載の筐体は、請求項２に記載の筐体において、前記アーム部と前記突部の外壁の他の部分との間にスリットが設けられたことを特徴としている。
【発明の効果】
【００１１】
請求項１に記載の筐体は、アーム部の一方の側面に設けられた係合部の裏側に引掛け部が形成されているとともに、取り外し治具を箱本体の外部から引掛け部に挿入可能とする挿入経路が形成されているので、係止部と被係止部との係止箇所が箱本体によって覆われた筐体であっても、挿入経路から引っ掛け部に取り外し治具を挿入して、係合部の被係止部への係止を解除する方向にアーム部を撓ませるだけで、係合部の被係止部への係止を容易に解除することができる。
【００１２】
請求項２に記載の筐体は、アーム部が箱本体から突出した突部の外壁の一部をなしているため、係止後の筐体が受ける外力をアーム部のみに集中させることなく突部の外壁全体に分散させることができ、このためにアーム部の剛性を上げることができるとともに筐体の係止を安定させることができる。
【００１３】
請求項３に記載の筐体は、アーム部と突部の外壁の他の部分との間にスリットが設けられているため、アーム部を撓みやすくすることができる。このため、より少ない力で係合部の被係止部への係止を解除することができる。
【発明を実施するための最良の形態】
【００１４】
以下、本発明の一実施形態にかかる筐体を、図１ないし図４を参照して説明する。本実施形態の筐体２は、図１に示す電気接続箱１を構成する。電気接続箱１は、移動体としての自動車に搭載され、電源側から供給される電力をランプやモータなどの負荷側に供給するものである。該電気接続箱１は、外郭を形成する筐体２と、図示しない配線盤とを備えている。筐体２には、リレー、ヒューズやヒュージブルリンクなどの電気部品が装着される装着部と、ワイヤハーネスの端末に設けられたコネクタを取り付けるコネクタ取付部が設けられている。配線盤は、筐体２の内部に収容されて、前述した電気部品とワイヤハーネスのコネクタとを予め定められたパターンにしたがって接続する。
【００１５】
また、この筐体２（電気接続箱１）が取り付けられる他の部材としての自動車のパネル３には、該筐体２の一部が挿入される取付孔３０が形成されている。なお、該自動車においては、パネル３よりも筐体２の挿入方向奥側で筐体２の取り付け及び取り外し操作を行うことが規制されている。このため、筐体２の取り付け及び取り外し操作は、パネル３の挿入方向手前側からのみ行うことができる。なお、取付孔３０の内縁部３１が、特許請求の範囲に記載した被係止部をなしている。
【００１６】
筐体２は、図１及び図２に示すように、箱本体２１と、突部２３と、係止部２４と、を備えている。箱本体２１は、絶縁性の合成樹脂からなり、周知の射出成形により成形される。箱本体２１は、複数の外壁により、筒状（箱状）に形成されている。箱本体２１の表面のうち図１の下側に位置する底面２２には、パネル３の表面と当接するリップ２９が設けられている。また、図示は省略するが、この箱本体２１には、前述した装着部及びコネクタ取付部が設けられており、これらの箇所に取り付けられた電気部品やワイヤハーネスのコネクタが、該箱本体２１の内部に収容された配線盤によって接続される。
【００１７】
突部２３は、箱本体２１の表面のうちの底面２２から突出しているとともに、筒状に形成されて、その内部が箱本体２１と連通している。なお、説明を容易にするために、以下、筒部２３の底面２２側の端部を上端と呼んで符号２３ａを付すとともに、筒部２３の底面２２から離れた側の端部を下端と呼んで符号２３ｂを付す。該突部２３は、図２に示すように、下端２３ｂが外部に開口している。
【００１８】
また、この突部２３の外壁のうち少なくとも一つの外壁には、後述の係止部２４が設けられている。そして、底面２２の係止部２４が設けられた外壁と交差する部分は開口している。係止部２４が設けられた外壁の上端２３ａは、底面２２よりも箱本体２１の内側に突出している。このような突部２３は、下端２３ｂ側から取付孔３０内に挿入され、さらに後述の係止部２４が取付孔３０の内縁部３１に係止することで取付孔３０から抜け出ることが規制される。即ち、係止部２４が取付孔３０の内縁部３１に係止することで筐体２がパネル３に係止される。
【００１９】
さらに、突部２３の内部の空間は、後述の係止部２４が取付孔３０内に挿入される際に、係止部２４が取付孔３０の内側に弾性変形するのに必要なスペースとなっている。また、この突部２３の内部には、係止部２４の取付孔３０の内縁部３１への係止を解除する際に、箱本体２１側から係止部２４側に向かって後述の取り外し治具５が挿入される。このため、前述の箱本体２１及び突部２３の内部には、箱本体２１の外部から係止部２４に向かって取り外し治具５が挿入されるのに必要なスペースが確保されている。即ち筐体２の内部には、取り外し治具５を箱本体２１の外部から係止部２４に挿入可能とする挿入経路が形成されている。
【００２０】
係止部２４は、アーム部２６と、係合部としての係止突起２７と、引掛け部２８と、を備えている。アーム部２６は、係止部２４が設けられた突部２３の外壁の一部をなしている。アーム部２６は、突部２３の外壁の他の部分との間に２つのスリット２５が設けられている。２つのスリット２５は、互いに平行に延びており、下端２３ｂから凹に形成されるとともに下端２３ｂから上端２３ａ側に向かって延びている。即ち、スリット２５は、下端２３ｂ側に開口している。このように、アーム部２６は、箱本体２１の表面から突出している。このようなアーム部２６は、上端２３ａ側が突部２３の外壁の他の部分と連なりかつ下端２３ｂ側が自由端の片持ち状に形成されている。また、該アーム部２６は、自由端側が取付孔３０の内縁部３１に対して接離（近づいたり離れたりすることをいう。）する。
【００２１】
係止突起２７は、アーム部２６の一方の側面をなす外側面の下端２３ｂ側に設けられるとともに、アーム部２６の外側面から突部２３の外方向に突出している。該係止突起２７は、下端２３ｂ側から上端２３ａ側に向かうにしたがって突部２３の外方向に向かって延びたテーパ状に形成されている。
【００２２】
引掛け部２８は、アーム部２６の他方の側面をなす内側面、即ち係止突起２７の裏側に設けられており、上端２３ａ側が開口した袋状に形成されている。引掛け部２８は、開口した上端２３ａ側から下端２３ｂ側に向かって凹に形成された凹部２８ａに後述の取り外し治具５の先端が挿し込まれる。
【００２３】
上記係止部２４は、突部２３がパネル３の取付孔３０に相対されるとともに突部２３が取付孔３０内に挿入されると、係止突起２７の下端２３ｂ側の端部が取付孔３０の内縁部３１に接触する。係止突起２７が取付孔３０内に更に圧入されていくと、取付孔３０の内縁部３１によって、アーム部２６及び係止突起２７が取付孔３０の内側に縮む方向に弾性変形する。
【００２４】
その後、アーム部２６が取付孔３０の内縁部３１に位置すると、弾性復元力によってアーム部２６及び係止突起２７が取付孔３０の外側に脹らむ方向に変位して、初期位置に復帰するとともに、アーム部２６が取付孔３０の内縁部３１に接触（合致）する。こうして、係止突起２７とリップ２９との間にパネル３の表面を挟むとともにアーム部２６が取付孔３０の内縁部３１に合致して、係止突起２７が取付孔３０の内縁部３１に係止する。
【００２５】
続いて、図３及び図４を用いて、上述した筐体２（電気接続箱１）をパネル３から取り外す方法を説明する。筐体２（電気接続箱１）をパネル３から取り外すには、以下に示すように、係止突起２７を取付孔３０の内縁部３１から係止解除する。
【００２６】
まず、図３に示すように、先端が棒状に形成された取り外し治具５を箱本体２１の外部から前記挿入経路を通して引掛け部２８に向かって挿入する（差し込む）。そして、取り外し治具５の先端を引掛け部２８の凹部２８ａ内に引掛ける（差し込む）。そして、取り外し治具５の基端が底面２２に近づくように、図３中の矢印Ｋで示す方向に取り外し治具５を倒す。
【００２７】
すると、図４に示すように、アーム部２６及びアーム部２６に連なる外壁が突部２３の内側即ち取付孔３０の内側に撓むことによって、係止突起２７が取付孔３０の内側に移動され、係止突起２７の取付孔３０の内縁部３１への係止が解除される。
【００２８】
このように、本実施形態の筐体２は、係止突起２７の取付孔３０の内縁部３１への係止を解除するための引掛け部２８が係止突起２７の裏側に形成されているとともに、取り外し治具５を箱本体２１の外部から引掛け部２８に挿入可能とする挿入経路が形成されているので、該挿入経路から挿入された取り外し治具５を引掛け部２８に引掛けてアーム部２６を取付孔３０の内側に撓ませるだけで、容易に係止突起２７の取付孔３０の内縁部３１への係止を解除することができる。
【００２９】
また、該筐体２は、アーム部２６が、取付孔３０内に挿入される突部２３の外壁の一部をなしているため、係止後の筐体２が受ける外力をアーム部２６のみに集中させることなく突部２３の外壁全体に分散させることができ、このためにアーム部２６の剛性を上げることができるとともに筐体２のパネル３への係止を安定させることができる。
【００３０】
さらに、このようなアーム部２６と突部２３の外壁の他の部分との間にスリット２５が設けられているため、アーム部２６を撓みやすくすることができる。このため、より少ない力で係止突起２７の取付孔３０の内縁部３１への係止を解除することができる。
【００３１】
なお、上述した実施形態では、筐体２が突部２３を備えていたが、本発明の筐体２は必ずしも突部２３を備えていなくても良く、少なくとも箱本体２１の表面から突出した係止部２４さえ備えていれば良い。また、上述した実施形態では、筐体２が係止部２４を一つのみ備えていたが、本発明の筐体２は、係止部２４を複数備えていても良い。
【００３２】
さらに、係止部２４は、アーム部２６の外側面から突部２３の外方向に突出した係止突起２７を備えていたが、本発明の係止部２４は、係止突起２７の代わりに、他の部材に形成された突起物に係止する孔を備えた構成であっても良い。
【００３３】
さらに、本発明の筐体２は、箱本体２１の表面を覆うカバー部材を備えて構成されるものも含み、この場合、係止部２４が前記カバー部材の表面に設けられていても良い。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３５】
【図１】本発明の一実施の形態に係る筐体を示す斜視図である。
【図２】図１中のＡ−Ａ線に沿った断面図である。
【図３】図１に示された筐体の引掛け部に治具を引掛けて、筐体とパネルとの係止を解除する様子を示す断面図である。
【図４】図３に示された筐体とパネルとの係止が解除された様子を示す断面図である。
【図５】従来の筐体の係止構造を示す断面図である。
【符号の説明】
【００３６】
２  筐体
３  パネル（他の部材）
５  取り外し治具
２１  箱本体
２２  底面（表面）
２３  突部
２４  係止部
２５  スリット
２６  アーム部
２７  係止突起（係合部）
２８  引掛け部
３１  内縁部（被係止部）
【図１】
2007053208.tif 000003
【図２】
2007053208.tif 000004
【図３】
2007053208.tif 000005
【図４】
2007053208.tif 000006
【図５】
2007053208.tif 000007